【手続補正書】
【提出日】平成22年3月31日(2010.3.31)
【手続補正１】
【補正対象書類名】特許請求の範囲
【補正対象項目名】全文
【補正方法】変更
【補正の内容】
【特許請求の範囲】
【請求項１】
建造物制御システムであって、
複数の進入制御デバイスを備えた進入制御サブシステムと、および複数の非進入制御デバイスを備えた非進入制御サブシステムとを含む複数のサブシステムであって、前記進入制御デバイスと非進入制御デバイスの少なくとも一部が、共通通信ネットワーク上に分散された、複数のサブシステムと、
中央演算装置と、データベースと、埋め込み型オペレーティング・システムと、複数の入出力（Ｉ／Ｏ）モジュールを有するモジュール・アセンブリとを各々有する複数のゾーン・コントローラであって、各ゾーン・コントローラが、前記共通通信ネットワークを通じて構成可能であり、各ゾーン・コントローラが、ローカル・エリア・コントローラとして動作する、複数のゾーン・コントローラと、
前記ゾーン・コントローラおよび前記サブシステムを、前記共通通信ネットワークを通じて管理するように構成されたネットワーク管理システムと、
を備えた、建造物制御システム。
【請求項２】
請求項１記載の建造物制御システムにおいて、各ゾーン・コントローラは、前記Ｉ／Ｏモジュールを介して、異なるプロトコルを用いて、多数のサブシステムのデバイスから情報を受けるように構成された、建造物制御システム。
【請求項３】
請求項１または２のいずれかに記載の建造物制御システムにおいて、前記非進入制御サブシステムは、セキュリティ・サブシステムと、照明サブシステムと、ＨＶＡＣ（加熱、換気、および空調）サブシステムと、防火サブシステムと、公共料金計量サブシステムとを備えており、前記非進入制御デバイスは、ＨＶＡＣ機器、防火機器、侵入制御機器、潅漑機器、ビデオ監視機器、オーディオ相互通信機器、照明機器、公共料金計量および配信機器、または拡声機器を備えた、建造物制御システム。
【請求項４】
請求項１から３のいずれかに記載の建造物制御システムにおいて、前記進入制御サブシステムは、建造物の異なる物理的エリア内における異なるドアと関連した進入制御デバイスを備えており、前記建造物制御システムは、第１ドアと関連した進入制御デバイスの状態が、第２ドアと関連した進入制御デバイスの状態に作用することができ、前記第１ドアと関連した前記進入制御デバイスの状態が、前記第１ドアに隣接する物理的エリアと関連付けられた非進入制御デバイスの状態に作用することができ、多数の物理的エリアと関連付けられた非進入制御デバイスの状態が、前記第１または第２のドアの少なくとも１つに関連した前記進入制御デバイスの状態に作用できるように構成された、建造物制御システム。
【請求項５】
請求項１から４のいずれかに記載の建造物制御システムにおいて、各ゾーン・コントローラは、サード・パーティ・デバイスから異なるプロトコルによって送られるソフトウェア・オブジェクトを読み込み、前記Ｉ／Ｏモジュールと結合されたセンサおよびアクチュエータからの信号を処理し、温度、湿度、光レベル、空気の質、エネルギ使用量、煙レベル、または物理的進入のうち少なくとも１つを含む建造物環境パラメータの測定および制御に変化をもたらすように構成された、建造物制御システム。
【請求項６】
請求項１から５のいずれかに記載の建造物制御システムにおいて、前記通信ネットワークは、イーサネット・ネットワークを備えており、前記ゾーン・コントローラの少なくとも１つは、パワー・オーバー・イーサネット（ＰＯＥ）接続部を介して電力を受けるように構成された、建造物制御システム。
【請求項７】
請求項１から６のいずれかに記載の建造物制御システムにおいて、前記ネットワーク管理システムは、ウェブに基づくツールを用いて、ユーザと相互作用を行うように構成された、建造物制御システム。
【請求項８】
請求項１から７のいずれかに記載の建造物制御システムにおいて、前記データベースは、格納されたデータを備えており、前記ゾーン・コントローラは、関係するイベントのシーケンスまたは集合に基づいて、カスタム化した報告を作成するために、前記格納されたデータを用いるように構成された、建造物制御システム。
【請求項９】
請求項１から８のいずれかに記載の建造物制御システムにおいて、トリガイベントに応答して、前記ゾーン・コントローラは、所定のデータ・シーケンスの記録、または制御アクション・シーケンスの実行のうち少なくとも一方を実行するように構成された、建造物制御システム。
【請求項１０】
請求項１から９のいずれかに記載の建造物制御システムにおいて、前記ゾーン・コントローラのモジュールは、プロセッサ・モジュールと、スイッチ・モジュールと、メモリ拡張モジュールと、赤外線データ・ポート（ＩＲＤＡ）モジュールと、トランシーバ・モジュールと、進入制御ドア・モジュールと、進入制御リーダ・モジュールと、照明制御モジュールと、公共料金計量モジュールと、ディジタル入力モジュールと、ディジタル出力モジュールと、アナログ入力モジュールとを備えた、建造物制御システム。
【請求項１１】
複数のデバイスを各々含む多数の建造物制御サブシステムを有する建造物制御システムにおけるイベント管理方法であって、前記建造物制御システムは、ローカル・エリア・コントローラとして動作するゾーン・コントローラを備えており、前記方法は、前記ゾーン・コントローラが、
前記サブシステムからデータを収集することと、
前記収集したデータを格納することと、
前記建造物における挙動のパターンを判定するため、および関係するイベントのシーケンスに基づいて、カスタム化した報告を作成するために、前記格納したデータを分析することと、
を備えた、イベント管理方法。
【請求項１２】
請求項１１記載の方法であって、更に、共通通信ネットワークを通じて、前記ゾーン・コントローラに接続されたネットワーク管理システムを用いて、複数のゾーン・コントローラを監視することを備えた、方法。
【請求項１３】
請求項１１または１２に記載の方法であって、更に、パワー・オーバー・イーサネット（ＰＯＥ）接続部を介して、前記ゾーン・コントローラに電力を供給することを備えた、方法。
【請求項１４】
請求項１１から１３のいずれかに記載の方法において、前記データを収集することは、前記サブシステム内にあるデバイスから異なるプロトコルによって送られるソフトウェア・オブジェクトを読み込むことを含む、方法。
【請求項１５】
請求項１１から１４のいずれかに記載の方法であって、更に、
前記建造物制御システムからのソフトウェア・オブジェクトを部分集合にグループ化し、所定の判断基準または論理的に検査したオカレンスの集合によって前記グループ化をトリガし、
インデックス化した部分集合を形成するために、関連性、関係、または因果関係のうち少なくとも１つに基づいて前記部分集合をインデックス化し、
グループ化オブジェクト・シーケンスを形成するために、前記インデックス化した部分集合に名称、ラベル、識別番号、アドレス、またはその均等物を割り当て、
前記グループ化オブジェクト・シーケンスを格納する、
ことによって、前記ゾーン・コントローラが、グループ化オブジェクト・シーケンスを記録することを備えた、方法。
【請求項１６】
請求項１５記載の方法であって、更に、前記所定の判断基準または前記論理的に検査したオカレンスの集合に応答して制御アクション・シーケンスを実行することを備えており、前記制御アクション・シーケンスが、制御アクションの所定のシーケンスを備え、該制御アクションの各々が、前記デバイスの１つのものの状態に作用する、方法。
【請求項１７】
請求項１５記載の方法において、前記建造物制御システムは、複数のポイント・オブジェクトを備えており、前記ソフトウェア・オブジェクトのグループ化は、各ポイント・オブジェクトをエリア・オブジェクト、システム・オブジェクト、コントローラ・オブジェクト、およびサブシステム・オブジェクトと関連付けることを含み、前記ポイント・オブジェクトは、１つよりも多いエリア・オブジェクト、１つよりも多いシステム・オブジェクト、１つよりも多いコントローラ・オブジェクト、および１つよりも多いサブシステム・オブジェクトとの論理的関連付けを受けることができる、方法。
【請求項１８】
請求項１１から１７のいずれかに記載の方法において、前記建造物制御システムは、建造物における異なるドアと関連した進入制御デバイスを有する進入制御サブシステムと、非進入制御デバイスを有する非進入制御サブシステムとを備えており、前記方法は、
第１ドアと関連した進入制御デバイスの状態に対し、第２ドアと関連した進入制御デバイスの状態が変化したときに、作用することと、
前記第２ドアと関連した前記進入制御デバイスの状態が変化したときに、前記第１または第２のドアの少なくとも一方に隣接する少なくとも１つの物理的エリアと関連付けられた非進入制御デバイスの状態に作用することと、
前記第１または第２のドアの少なくとも１つのと関連した前記進入制御デバイスの状態が変化したときに、多数の物理的エリアと関連付けられた非進入制御デバイスの状態に作用することと、
のうち少なくとも１つを備えた、方法。
【請求項１９】
請求項１１から１８のいずれかに記載の方法において、前記データを収集することは、前記ゾーン・コントローラのＩ／Ｏモジュールと結合されたセンサおよびアクチュエータから信号を受けることを含み、前記方法は、更に、前記信号に応答して建造物環境パラメータを制御することを備えており、前記建造物環境パラメータは、温度、湿度、光レベル、空気の質、エネルギ使用量、煙レベル、または物理的進入のうち少なくとも１つを含む、方法。
【請求項２０】
請求項１１から１９のいずれかに記載の方法であって、更に、前記建造物制御システムとユーザとの間の相互作用を可能にするために、ウェブに基づくツールを設けることを備えた、方法。